(57)【要約】【課題】表示装置用照明装置において、放熱部材を、放熱性能の低下を抑えつつ機械的に保護する。【解決手段】表示装置用照明装置は、光源４３と、光源４３の熱を空気中へ放出する放熱部材５と、放熱部材５の周囲を覆って放熱部材５を機械的に保護する保護ケース６とを備え、放熱部材５が、空気が流通する通路５２を備え、空気が通路５２を通路入り口５２ａから通路出口５２ｂまで通過する間に放熱部材５から熱を受け取るように構成され、保護ケース６が、空気が通路入り口５２ａへ流入するためのケース入り口６１と、通路出口５２ｂから流出した空気が流出するためのケース出口６２とを備え、ケース入り口６１が、空気が通路入り口５２ａへ流入する方向において通路入り口５２ａを包含するように形成され、ケース出口６２が、空気が通路出口５２ｂから流出する方向において通路出口５２ｂを包含するように形成される。【選択図】図４
2008033053.tif 000002
【特許請求の範囲】
【請求項１】
光源と、
前記光源が発した熱を空気中へ放出する放熱部材と、
前記放熱部材の周囲を覆って該放熱部材を機械的に保護する保護ケースとを備え、
前記放熱部材は、空気が流通する通路を備え、
前記放熱部材は、空気が前記通路を該通路の通路入り口から該通路の通路出口まで通過する間に該放熱部材から放出された熱を受け取るように構成され、
前記保護ケースは、空気が該保護ケースの外側から前記通路入り口へ流入するためのケース入り口と、前記通路出口から流出した空気が該保護ケースから流出するためのケース出口とを備え、
前記ケース入り口は、空気が前記通路入り口へ流入する方向において該通路入り口を包含するように形成され、
前記ケース出口は、空気が前記通路出口から流出する方向において該通路出口を包含するように形成されていることを特徴とする表示装置用照明装置。
【請求項２】
前記保護ケースは、前記ケース入り口と前記ケース出口とを除いた部分で、前記放熱部材の周囲を覆って放熱部材を機械的に保護するように構成されていることを特徴とする請求項１に記載の表示装置用照明装置。
【請求項３】
前記ケース出口を前記ケース入り口より上方に配置していることを特徴とする請求項１または請求項２に記載の表示装置用照明装置。
【請求項４】
前記ケース入り口から流入し、前記通路を通過し、且つ、前記ケース出口から流出する空気の流れを生じさせる送風機を備えることを特徴とする請求項１ないし請求項３のいずれか一項に記載の表示装置用照明装置。
【請求項５】
前記放熱部材は、並行して配列された複数のフィンを備え、
前記通路は、前記フィンの間の隙間を備えることを特徴とする請求項１ないし請求項４のいずれか一項に記載の表示装置用照明装置。
【請求項６】
前記光源と前記放熱部材とを熱的に接続する伝熱部材を備えることを特徴とする請求項１ないし請求項５のいずれか一項に記載の表示装置用照明装置。
【請求項７】
請求項６に記載の表示装置用照明装置を備えた液晶表示装置であって、
液晶パネルと、
前記液晶パネルの背後に配設され、且つ、前記光源が発した光を該液晶パネルへ導いて該液晶パネルを透過照明させる導光部材と、
前記液晶パネルと前記導光部材とを収納し、且つ、前記光源を収納または保持する筐体とを備え、
前記放熱部材は、前記筐体の外側に配設されていることを特徴とする液晶表示装置。
【発明の詳細な説明】
【技術分野】
【０００１】
本発明は、表示装置用照明装置及びそれを備えた液晶表示装置に関するものであり、車両用表示装置に用いて好適である。
【背景技術】
【０００２】
従来の車両用の表示装置用照明装置として、光源である発光ダイオードを導光板の側面に対向するように配置し、発光ダイオードから導光板の側面に入射した光を、導光板の表面から照明光として出射させる照明装置が知られている。ここで、発光ダイオードが発光に伴って発熱するため、この照明装置が適用される表示装置の構成部品は、発光ダイオードからの熱を受けて劣化する恐れがある。
【０００３】
本発明者は、発光ダイオードが実装される配線基板の放熱性を向上させることによって、表示装置の構成部品の劣化を抑える事をねらった照明装置を提案している（特許文献１参照）。具体的に、発光ダイオードが実装される配線基板を、金属板をベースとした金属系配線板として構成する。
【特許文献１】特開２００４−２７９２６２号公報
【発明の開示】
【発明が解決しようとする課題】
【０００４】
本発明者は、上記従来技術に対して一歩進んで、金属板をベースとした金属系配線板の代わりに、発光ダイオードが発した熱を空気中へ放出する放熱フィン等を有する放熱部材と、発光ダイオードと放熱部材とを熱的に接続する伝熱部材とを備えた表示装置用照明装置を検討した。これにより、放熱部材を表示装置の構成部品から離れた位置に配置することが可能となり、このため、構成部品は、熱影響をより受け難くなる。
【０００５】
しかし、表示装置用照明装置を表示装置や車両に取り付ける際、作業者が放熱部材に触れる等して、放熱部材の機械的に弱い部分、例えば、放熱フィン等を損傷させる恐れがある。この問題は、放熱部材の周囲を保護ケースで覆うことによって解消される。
【０００６】
しかし、放熱部材の放熱性能が、保護ケースによって低下するという問題が発生する。これは、放熱部材の周囲が保護ケースで覆われることによって、放熱部材から放出された熱を受けた空気が保護ケースから流出し難くなるためである。
【０００７】
この問題は、発光ダイオードを導光板の側面に対向するように配置し、発光ダイオードから導光板の側面に入射した光を、導光板の表面から照明光として出射させる表示装置用照明装置に限るものではない。即ち、この問題は、光源と、光源が発した熱を空気中へ放出する放熱部材とを備えた表示装置用照明装置に共通する問題である。
【０００８】
本発明は、上記点に鑑みてなされたものであり、光源と光源が発した熱を放熱する放熱部材とを備えた表示装置用照明装置及びそれを備えた液晶表示装置において、放熱部材を、その放熱性能の低下を抑えつつ機械的に保護することを目的とする。
【課題を解決するための手段】
【０００９】
本発明は上記目的を達成する為、以下の技術的手段を採用する。
【００１０】
本発明の請求項１に記載の表示装置用照明装置は、光源と、光源が発した熱を空気中へ放出する放熱部材と、放熱部材の周囲を覆って放熱部材を機械的に保護する保護ケースとを備え、放熱部材が、空気が流通する通路を備え、放熱部材が、空気が通路を通路の通路入り口から通路の通路出口まで通過する間に放熱部材から放出された熱を受け取るように構成され、保護ケースが、空気が保護ケースの外側から通路入り口へ流入するためのケース入り口と、通路出口から流出した空気が保護ケースから流出するためのケース出口とを備え、ケース入り口が、空気が通路入り口へ流入する方向において通路入り口を包含するように形成され、ケース出口が、空気が通路出口から流出する方向において通路出口を包含するように形成されていることを特徴とする。
【００１１】
この構成では、保護ケースが放熱部材の周囲を覆うため、放熱部材を機械的に保護できる。
【００１２】
また、この構成では、ケース入り口は、空気が通路入り口へ流入する方向において通路入り口を包含するように形成される。これにより、放熱部材から熱を受けていない空気は、保護ケースから大きな妨げを受けることなく、ケース入り口から放熱部材の通路入り口へ流入できる。
【００１３】
また、この構成では、ケース出口は、空気が通路出口から流出する方向において通路出口を包含するように形成される。これにより、放熱部材から放出された熱を受けた空気は、保護ケースから大きな妨げを受けることなく、放熱部材の通路出口からケース出口を通して流出できる。
【００１４】
ケース入り口から通路入り口への空気の流入と、通路出口からケース出口を通した空気の流出とが、保護ケースから大きな妨げを受けることがないため、保護ケースによる放熱部材の放熱性能の低下を、抑えることができる。
【００１５】
この結果、放熱部材を、その放熱性能の低下を抑えつつ機械的に保護することができる。
【００１６】
本発明の請求項２に記載の表示装置用照明装置は、保護ケースが、ケース入り口とケース出口とを除いた部分で、放熱部材の周囲を覆って放熱部材を機械的に保護するように構成されていることを特徴とする
この構成では、保護ケースが、ケース入り口とケース出口とを除いた部分で、放熱部材の周囲を覆って放熱部材を機械的に保護するように構成されている。これにより、放熱部材を、より機械的に保護することができる。
【００１７】
本発明の請求項３に記載の表示装置用照明装置は、ケース出口をケース入り口より上方に配置していることを特徴とする。
【００１８】
ここで、放熱部材から放出された熱を受けた空気は、熱膨張してその密度が低下するため、放熱部材から熱を受けていない空気と比較してより上昇しようとする。このため、放熱部材から放出された熱を受けた空気は、ケース入り口より上方に配置されたケース出口を通して保護ケースからより流出し易くなる。この結果、保護ケースによる放熱部材の放熱性能の低下を、より抑えることができる。
【００１９】
本発明の請求項４に記載の表示装置用照明装置は、ケース入り口から流入し、通路を通過し、且つ、ケース出口から流出する空気の流れを生じさせる送風機を備えることを特徴とする。
【００２０】
これにより、ケース入り口から流入し、通路を通過し、且つ、ケース出口から流出する空気の流れを促進できる。この結果、保護ケースによる放熱部材の放熱性能の低下を、より抑えることができる。
【００２１】
本発明の請求項５に記載の表示装置用照明装置は、放熱部材が、並行して配列された複数のフィンを備え、通路が、フィンの間の隙間を備えることを特徴とする。
【００２２】
この構成でも、上述の効果を得ることができる。
【００２３】
本発明の請求項６に記載の表示装置用照明装置は、光源と放熱部材とを熱的に接続する伝熱部材を備えることを特徴とする。
【００２４】
伝熱部材を延設させることにより、放熱部材を、本発明による表示装置用照明装置が適用される表示装置の構成部品から離れた位置に配置することが可能となる。このため、表示装置の構成部品は、放熱部材からの熱の影響を受け難くなる。
【００２５】
請求項７に記載の液晶表示装置は、請求項６に記載の表示装置用照明装置を備えた液晶表示装置であって、液晶パネルと、液晶パネルの背後に配設され且つ光源が発した光を液晶パネルへ導いて液晶パネルを透過照明させる導光部材と、液晶パネルと導光部材とを収納し且つ光源を収納または保持する筐体とを備え、放熱部材が、筐体の外側に配設されていることを特徴とする。
【００２６】
この構成では、放熱部材が筐体の外側に配設されているため、表示装置の構成部品は、放熱部材からの熱の影響をより受け難くなる。
【発明を実施するための最良の形態】
【００２７】
以下、本発明による表示装置用照明装置を、自動車に搭載されるコンビネーションメータ１に適用した場合を例に図面に基づいて説明する。
【００２８】
（構成）
コンビネーションメータ１は、自動車の運転席前方に配置されて当該自動車に関する各種車両情報を表示する。本実施形態によるコンビネーションメータ１は、図１に示すように、自動車の走行速度を表示する速度計２と、エンジン回転数を表示する回転計３と、それらの間に、ナビゲーション情報や道路交通情報等を表示する表示装置である液晶表示装置４とを備える。
【００２９】
液晶表示装置４は、図２において、液晶パネル４１と、導光部材である導光板４２と、表示装置用照明装置とを備える。表示装置用照明装置は、光源である発光ダイオード４３と、伝熱部材であるヒートパイプ４８と、放熱部材である放熱フィン５と、保護ケース６とを備える。
【００３０】
導光板４２は、例えば、無色透明のアクリル樹脂から平板状に形成され、液晶パネル４１の背後（図２において右側）に配設される。導光板４２は、光路Ｐに従って、側面４２ａから入射した発光ダイオード４３からの光を内部に導き、液晶パネル４１へ導いて液晶パネル４１を透過照明させる。
【００３１】
例えば白色に着色された樹脂フィルム等から形成された反射シート４５が、導光板４２の裏面（図２において右側の面）に配置される。反射シート４５は、光路Ｐに従って、導光板４２内を進行する光を液晶パネル４１へ向けて反射する。
【００３２】
例えば透光性の樹脂フィルム等から形成された拡散シート４４が、導光板４２の表面（図２において左側の面）に配置される。拡散シート４４は、反射シート４５で反射して導光板４２から出射した光を拡散反射することにより、導光板４２から照射される光の輝度を均一化する。
【００３３】
８個の発光ダイオード４３が、図３に示すように、配線基板４６に実装され、図２に示すように、導光板４２の側面４２ａに対向して配置される。尚、発光ダイオード４３の個数は、８個に限るものではない。
【００３４】
配線基板８が、反射シート４５の背後側（図２において右側）に配置され、マイクロコンピュータ等から構成された制御装置９が、配線基板８に実装される。制御装置９は、液晶パネル４１の作動と発光ダイオード４３の点燈・消燈等を制御する。尚、配線基板４６は、図示しない電気配線により配線基板８に接続される。
【００３５】
また、発光ダイオード４３の点燈・消燈を制御する制御装置９の一部（トランジスタ、制限抵抗等）を、配線基板４６に実装することも可能である。この場合、後述する放熱フィン５は、発光ダイオード４３の発した熱に加えて、配線基板４６に実装されたトランジスタと制限抵抗等の発した熱も空気中へ放出する。
【００３６】
液晶パネル４１と導光板４２等は、意匠板７１とアッパケース７２とロアケース７３と透明カバー７４とから構成された筐体内に収納され、発光ダイオード４３は、この筐体に保持される。具体的に、発光ダイオード４３が実装された配線基板４６が、アッパケース７２に固定される。
【００３７】
以下、発光ダイオード４３とヒートパイプ４８と放熱フィン５と保護ケース６とを備える表示装置用照明装置の構成について説明する。
【００３８】
熱伝導性の高い、例えば、アルミニウムから形成されたプレート４７は、発光ダイオード４３が実装された配線基板４６とヒートパイプを、熱的に接続する。プレート４７は、配線基板４６の形状と同様の形状を有し、配線基板４６に対してネジ等によって固定される。
【００３９】
熱伝導性の高い、例えば、銅製または銅合金製のパイプから形成されたヒートパイプ４８は、発光ダイオード４３と放熱フィン５を熱的に接続する。ヒートパイプ４８は、アッパケース７２とロアケース７３の外側に配置され、その一端がプレート４７に溶接等によって固定され、その他端が放熱フィン５に溶接等によって固定される。貫通孔５３（図５（ａ））が、放熱フィン５に形成され、ヒートパイプ４８の他端は、図４に示すように、貫通孔５３挿通されて放熱フィン５に溶接等によって固定される。また、ヒートパイプ４８のパイプ内部空間の１０％程度の体積の水が、このパイプ内に冷媒として収容される。
【００４０】
発光ダイオード４３が発した熱が（トランジスタと制限抵抗等が配線基板４６に実装されている場合、これらが発した熱も含めて）、配線基板４６とプレート４７を介してヒートパイプ４８に伝達される。ヒートパイプ４８は、このヒートパイプ４８に伝達された熱が、ヒートパイプ４８内の水の蒸発と凝縮の潜熱を利用して、放熱フィン５へ伝達されるように構成される。
【００４１】
これにより、ヒートパイプ４８に伝達された熱は、ヒートパイプ４８からあまり放熱されないで、放熱フィン５へ伝達される。即ち、液晶表示装置４の構成部品である導光板４２と制御装置９等は、ヒートパイプ４８からの熱の影響を受け難くなる。
【００４２】
熱伝導性の高い、例えば、アルミニウムから形成された放熱フィン５は、意匠板７１とアッパケース７２とロアケース７３と透明カバー７４とから構成された筐体の外側、即ち、ロアケース７３の外側に配設される。放熱フィン５は、発光ダイオード４３が発した熱を、配線基板４６とプレート４７とヒートパイプ４８を介して受け取り、この熱を空気中へ放出する。
【００４３】
ヒートパイプ４８を延設させることにより、放熱フィン５を、導光板４２と制御装置９等から離れた位置に配置することが可能となり、このため、導光板４２と制御装置９等は、放熱フィン５からの熱影響を受け難くなる。また、放熱フィン５がロアケース７３の外側に配置されているため、導光板４２と制御装置９等は、放熱フィン５からの熱の影響をより受け難くなる。
【００４４】
放熱フィン５は、図４に示すように、並行して配列された複数のフィンを５１備え、空気が流通する通路５２が、図４と図５に示すように、フィン５１の間の隙間５２の集合として構成される。放熱フィン５は、空気が通路５２を通路５２の通路入り口５２ａから通路５２の通路出口５２ｂまで通過する間に放熱フィン５から放出された熱を受け取るように構成される。
【００４５】
例えば、ポリアセタール樹脂等の耐熱性樹脂や金属から形成された保護ケース６は、図２と図３と図４（ａ）に示すように、放熱フィン５の周囲を覆って放熱フィン５を機械的に保護するように、ロアケース７３に固定される。保護ケース６は、図２と図４に示すように、空気が保護ケース６の外側から放熱フィン５の通路入り口５２ａへ流入するためのケース入り口６１と、通路出口５２ｂから流出した空気が保護ケースから流出するためのケース出口とを備える。
【００４６】
尚、ケース出口６２は、図２と図４（ｂ）と図５（ｂ）に示すように、ケース入り口６１より上方に配置される。ここで、放熱フィン５から放出された熱を受けた空気は、熱膨張してその密度が低下するため、放熱フィン５から熱を受けていない空気と比較してより上昇しようとする。このため、放熱フィン５から放出された熱を受けた空気は、ケース入り口６１より上方に配置されたケース出口６２を通して保護ケース６からより流出し易くなる。この結果、保護ケース６による放熱フィン５の放熱性能の低下を、抑えることができる。
【００４７】
即ち、空気は、図５（ｂ）において、上下方向に沿った矢印Ｆ１の方向へ、ケース入り口６１から通路入り口５２ａへ流入し、上下方向に沿った矢印Ｆ２の方向へ、通路出口５２ｂからケース出口６２を通して流出する。
【００４８】
ケース入り口６１は、空気が通路入り口５２ａへ流入する方向（図５（ｂ）において矢印Ｆ１の方向）において通路入り口５２ａを包含するように形成される。具体的に、ケース入り口６１を、図５（ａ）に示すように、放熱フィン５を包含するように形成する。これにより、放熱フィン５から熱を受けていない空気は、保護ケース６から大きな妨げを受けることなく、ケース入り口６１から放熱フィン５の通路入り口５２ａへ流入できる。
【００４９】
また、ケース出口６２は、空気が通路出口５２ｂから流出する方向（図５（ｂ）において矢印Ｆ２の方向）において通路出口５２ｂを包含するように形成される。具体的に、ケース出口６２を、図５（ａ）に示すように、放熱フィン５より大きく形成する。これにより、放熱フィン５から放出された熱を受けた空気は、保護ケース６から大きな妨げを受けることなく、放熱フィン５の通路出口５２ｂからケース出口６２を通して流出できる。
【００５０】
ケース入り口６１から通路入り口５２ａへの空気の流入と、通路出口５２ｂからケース出口６２を通した空気の流出とが、保護ケース６から大きな妨げを受けることがないため、保護ケース６による放熱フィン５の放熱性能の低下を、抑えることができる。
【００５１】
また、保護ケース６は、ケース入り口６１とケース出口６２とを除いた部分で、放熱フィン５の周囲を覆って放熱フィン５を機械的に保護するように構成される。この結果、放熱フィン５を、その放熱性能の低下を抑えつつ機械的に保護することができる。
【００５２】
尚、図６に示す補強部６３を保護ケース６に設けることによって、保護ケース６の機械的強度を高めることができる。また、保護ケース６は、補強部６３の設けられた側が、ロアケース７３に固定される。
【００５３】
（変形例）
図５（ａ）に示した上述の例では、ケース入り口６１とケース出口６２を、放熱フィン５を包含するように形成したが、これに限る必要はない。ケース入り口６１とケース出口６２を、図７に示すように、フィン５１と通路５２の両方を包含するように形成するが、放熱フィン５の一部を包含しないように形成することが可能である。これによっても、上述の効果を得ることができる。
【００５４】
また、ケース入り口６１とケース出口６２を、図８に示すように、通路５２を包含するように形成するが、フィン５１の一部を包含しないように形成することが可能である。これによっても、上述の効果を得ることができる。
【００５５】
放熱フィン５を、図９（ａ）に示すように、平行四辺形に形成した場合、ケース入り口６１とケース出口６２を、これに合わせて平行四辺形に形成する。また、ケース入り口６１とケース出口６２の代わりに、ケース入り口６１ａとケース出口６２ａを、放熱フィン５を包含するように長方形に形成することも可能である。いずれの場合も、上述の効果を得ることができる。
【００５６】
放熱フィン５を、図９（ｂ）に示すように、上下方向において平行四辺形に形成した場合、空気は、図９（ｂ）において、上下方向に対して傾斜した矢印Ｆ３の方向へ、ケース入り口６１から通路入り口５２ａへ流入し、上下方向に対して傾斜した矢印Ｆ４の方向へ、通路出口５２ｂからケース出口６２を通して流出する。
【００５７】
この場合、ケース入り口６１を、空気が通路入り口５２ａへ流入する方向（図９（ｂ）において矢印Ｆ３の方向）において通路入り口５２ａを包含するように形成する。また、ケース出口６２を、空気が通路出口５２ｂから流出する方向（図９（ｂ）において矢印Ｆ４の方向）において通路出口５２ｂを包含するように形成する。
【００５８】
また、ケース入り口６１とケース出口６２の代わりに、ケース入り口６１ａを、図９（ｂ）に示すように、ケース入り口６１を包含するように大きく形成し、ケース出口６２ａを、ケース出口６２を包含するように大きく形成することも可能である。いずれの場合も、上述の効果を得ることができる。
【００５９】
放熱フィン５を、図１０に示すように、上下方向において湾曲した形状に形成した場合、空気は、図１０において、上下方向に対して傾斜した矢印Ｆ５の方向へ、ケース入り口６１から通路入り口５２ａへ流入し、上下方向に対して傾斜した矢印Ｆ６の方向へ、通路出口５２ｂからケース出口６２を通して流出する。
【００６０】
この場合、ケース入り口６１を、空気が通路入り口５２ａへ流入する方向（図１０において矢印Ｆ５の方向）において通路入り口５２ａを包含するように形成する。即ち、ケース入り口６１は、破線で示す補助線（矢印Ｆ５と平行な補助線）に沿って、通路入り口５２ａを包含するように形成される。
【００６１】
また、ケース出口６２を、空気が通路出口５２ｂから流出する方向（図１０において矢印Ｆ６の方向）において通路出口５２ｂを包含するように形成する。即ち、ケース出口６２は、破線で示す補助線（矢印Ｆ６と平行な補助線）に沿って、通路出口５２ｂを包含するように形成される。これにより、上述の効果を得ることができる。
【００６２】
尚、放熱フィン５を機械的に保護する保護ケース６の機能と、保護ケース６の機械的強度が確保できる限りにおいて、ケース入り口６１とケース出口６２以外の貫通孔を、図６に示す保護ケース６の各面Ｎ１，Ｎ２，Ｎ３に形成することも可能である。
【００６３】
また、送風機１０を、図１１に示すように、保護ケース６のケース入り口６１に配置することも可能である。送風機１０は、送風ケース１０ａと、送風ケース１０ａに収容されている翼車１０ｂと電動機１０ｃとを備える。翼車１０ｂは、電動機１０ｃに駆動されて空気を、ケース入り口６１へ流入させ、放熱フィン５（通路５２）を通過させ、且つ、ケース出口６２から流出させる。即ち、送風機１０は、ケース入り口６１から流入し、通路５２を通過し、且つ、ケース出口６２から流出する空気の流れを生じさせる。
【００６４】
これにより、ケース入り口６１から流入し、通路５２を通過し、且つ、ケース出口６２から流出する空気の流れを促進できる。この結果、保護ケース６による放熱フィン５の放熱性能の低下を、より抑えることができる。
【００６５】
以上、本発明による表示装置用照明装置は、光源である発光ダイオード４３と、発光ダイオード４３が発した熱を空気中へ放出する放熱部材である放熱フィン５と、放熱フィン５の周囲を覆って放熱フィン５を機械的に保護する保護ケース６とを備え、放熱フィン５が、空気が流通する通路５２を備え、放熱フィン５が、空気が通路５２を通路５２の通路入り口５２ａから通路５２の通路出口５２ｂまで通過する間に放熱フィン５から放出された熱を受け取るように構成され、保護ケース６が、空気が保護ケース６の外側から通路入り口５２ａへ流入するためのケース入り口６１と、通路出口５２ｂから流出した空気が保護ケース６から流出するためのケース出口６２とを備え、ケース入り口６１が、空気が通路入り口５２ａへ流入する方向において通路入り口５２ａを包含するように形成され、ケース出口６２が、空気が通路出口５２ｂから流出する方向において通路出口５２ｂを包含するように形成されている。
【００６６】
これにより、光源と光源が発した熱を放熱する放熱部材とを備えた表示装置用照明装置において、放熱部材を、その放熱性能の低下を抑えつつ機械的に保護できる。
【００６７】
尚、上述の例に限らず、他の種々の変形例が考えられる。
【図面の簡単な説明】
【００６８】
【図１】図１は、本発明の一実施形態による表示装置用照明装置が適用されたコンビネーションメータ１の正面図である。
【図２】図２は、図１のＩＩ−ＩＩ線断面図である。
【図３】図３は、図１のＩＩＩ部の背面拡大図である。
【図４】図４（ａ）は、図３のＩＶＡ−ＩＶＡ線断面図であり、図４（ｂ）は、図３のＩＶＢ部において保護ケース６を取り外した状態の拡大図である。
【図５】図５（ａ）は、放熱部材である放熱フィン５とケース入り口６１および放熱フィン５とケース出口６２との配置関係を示す図４（ａ）の模式図であり、図５（ｂ）は、通路５２ａとケース入り口６１および通路５２ｂとケース出口６２との配置関係を示す図４（ｂ）の模式図である。
【図６】図６は、保護ケース６の模式的斜視図である。
【図７】図７は、図５（ａ）の第１変形例である。
【図８】図８は、図５（ａ）の第２変形例である。
【図９】図９は、図５の変形例である。
【図１０】図１０は、図５（ｂ）の変形例である。
【図１１】図１１は、図３の変形例である。
【符号の説明】
【００６９】
１  コンビネーションメータ、２  速度計、３  回転計
４  液晶表示装置（表示装置）、４１  液晶パネル、４２  導光板（導光部材）
４２ａ  側面、４３  発光ダイオード（光源）、４４  拡散シート、４５  反射シート
４６  配線基板、４７  プレート、４８  ヒートパイプ（伝熱部材）
５  放熱フィン（放熱部材）、５１  フィン、５２  隙間（通路）
５２ａ  通路入り口、５２ｂ  通路出口、５３  貫通孔
６  保護ケース、６１、６１ａ  ケース入り口、６２，６２ａ  ケース出口
６３  補強部、７１  意匠板、７２  アッパケース、７３  ロアケース
７４  透明カバー、８  配線基板、９  制御装置
１０  送風機、１０ａ  送風ケース、１０ｂ  翼車、１０ｃ  電動機
【図１】
2008033053.tif 000003
【図２】
2008033053.tif 000004
【図３】
2008033053.tif 000005
【図４】
2008033053.tif 000006
【図５】
2008033053.tif 000007
【図６】
2008033053.tif 000008
【図７】
2008033053.tif 000009
【図８】
2008033053.tif 000010
【図９】
2008033053.tif 000011
【図１０】
2008033053.tif 000012
【図１１】
2008033053.tif 000013